(57)【要約】【課題】内容器に満杯にするような多量の水切り対象物についても水切りが可能である水切り具を得ることを目的としている。また、強制的に急速な水切りが可能な水切り具を提供することを目的としている。【解決手段】本発明に係る水切り具１は、周壁部３Ａと底部５Ａを有する受け容器７Ａと、水切り穴９と周壁部３Ｂと底部５Ｂを有し、かつ受け容器７Ａの内側に配置可能な内容器７Ｂとを備え、受け容器７Ａと内容器７Ｂは受け容器７Ａ内に内容器７Ｂを挿入した第１状態と、該第１状態に対して周方向の相対角度をずらした状態で、かつ内容器７Ｂの底部５Ｂと受け容器７Ａの底部５Ａとの距離が前記第１状態よりも上方に離れた第２状態にでき、該第２状態において内容器７Ｂを保持できる平坦部１９Ｂが設けられていることを特徴とするものである。【選択図】  図１
2011078699.tif 000002
【特許請求の範囲】
【請求項１】
周壁部と底部を有する第１容器と、水切り穴と周壁部と底部を有し、かつ前記第１容器の内側に配置可能な第２容器とを備え、前記第１容器と前記第２容器は前記第１容器内に前記第２容器を挿入した第１状態と、該第１状態に対して周方向の相対角度をずらした状態で、かつ前記第２容器の底部と前記第１容器の底部との距離が前記第１状態よりも上方に離れた第２状態にでき、該第２状態において前記第２容器を保持できる保持部が設けられていることを特徴とする水切り具。
【請求項２】
前記第１容器及び第２容器は周壁部の上端部が外方に張出すフランジ部を備え、該フランジ部に、前記第１容器と前記第２容器のフランジ部のフランジ面同士を当接させたときに位置決めするための位置決め部が設けられていることを特徴とする請求項１記載の水切り具。
【請求項３】
前記第２容器の水切り穴は、前記第２容器の前記底部にのみ設けられていることを特徴とする請求項１又は２記載の水切り具。
【請求項４】
前記第１容器と前記第２容器は、水切り穴の有無を除き同形であることを特徴とする請求項１乃至３のいずれか一項記載の水切り具。
【請求項５】
前記第１容器及び前記第２容器は、角丸の四角形であることを特徴とする請求項１乃至４のいずれか一項に記載の水切り具。
【請求項６】
前記第２容器は前記第２状態において、第１容器に対して周方向に３０°〜６０°の範囲でずらした状態で保持可能になっていることを特徴とする請求項５記載の水切り具。
【発明の詳細な説明】
【技術分野】
【０００１】
本発明は、受け容器と該受け容器内に配置可能な内容器との組み合わせからなる水切り具に関する。
【背景技術】
【０００２】
受け容器と該受け容器内に配置可能な内容器の組み合わせからなる水切り具の一例として、例えばボール容器とざる容器からなる水切り具がある（例えば、特許文献１参照）。
このような水切り具の使用の一例としては、ボール容器内に水を入れた状態で、ざる容器をボール容器の内側に配置し、キャベツなどの野菜をざる容器に入れて洗浄し、その後、ボール容器内の水を捨てて水切りをするというものが挙げられる。
【先行技術文献】
【特許文献】
【０００３】
【特許文献１】特開2002-325692号公報
【発明の概要】
【発明が解決しようとする課題】
【０００４】
しかしながら、特許文献１に開示されたボール容器とざる容器からなる水切り具には種々の課題が残されている。
まず、ボール容器内にざる容器を配置した状態において、ボール容器とざる容器間のすき間が小さいため、例えばざる容器に満杯となるような大量の野菜の水切りをしようとした場合、野菜から滴る水の量が多いため、ざる容器の下部にある野菜がボール容器に溜まった水に浸かってしまい、水切りができないという問題がある。
また、そもそもボール容器とざる容器の組み合わせからなる水切り具は、ざる容器に水切り対象となる野菜を入れて、野菜に付いた水を自然落下によって時間を掛けて水切りをするものである。そのため、急いで水切りをしたいような場合には使用できない。この場合、例えばフードプロセッサなどで別途水切りをしてからざる容器に入れるというようなことが行われており、極めて不便であるという問題もある。
【０００５】
本発明はかかる課題を解決するためになされたものであり、内容器に満杯にするような多量の水切り対象物についても水切りが可能である水切り具を得ることを目的としている。また、強制的に急速な水切りが可能な水切り具を提供することを目的としている。
【課題を解決するための手段】
【０００６】
（１）本発明に係る水切り具は、周壁部と底部を有する第１容器と、水切り穴と周壁部と底部を有し、かつ前記第１容器の内側に配置可能な第２容器とを備え、前記第１容器と前記第２容器は前記第１容器内に前記第２容器を挿入した第１状態と、該第１状態に対して周方向の相対角度をずらした状態で、かつ前記第２容器の底部と前記第１容器の底部との距離が前記第１状態よりも上方に離れた第２状態にでき、該第２状態において前記第２容器を保持できる保持部が設けられていることを特徴とするものである。
【０００７】
（２）また、上記（１）に記載のものにおいて、前記第１容器及び第２容器は周壁部の上端部が外方に張出すフランジ部を備え、該フランジ部に、前記第１容器と前記第２容器のフランジ部のフランジ面同士を当接させたときに位置決めするための位置決め部が設けられていることを特徴とするものである。
【０００８】
（３）また、上記（１）又は（２）に記載のものにおいて、前記第２容器の水切り穴は、前記第２容器の前記底部にのみ設けられていることを特徴とするものである。
【０００９】
（４）また、上記（１）乃至（３）のいずれかに記載のものにおいて、前記第１容器と前記第２容器は、水切り穴の有無を除き同形であることを特徴とするものである。
【００１０】
（５）また、上記（１）乃至（４）のいずれかに記載のものにおいて、前記第１容器及び前記第２容器は、角丸の四角形であることを特徴とするものである。
【００１１】
（６）また、上記（５）に記載のものにおいて、前記第２容器は前記第２状態において、第１容器に対して周方向に３０°〜６０°の範囲でずらした状態で保持可能になっていることを特徴とするものである。
【発明の効果】
【００１２】
本発明においては、周壁部と底部を有する第１容器と、水切り穴と周壁部と底部を有し、かつ前記第１容器の内側に配置可能な第２容器とを備え、前記第１容器と前記第２容器は前記第１容器内に前記第２容器を挿入した第１状態と、該第１状態に対して周方向の相対角度をずらした状態で、かつ前記第２容器の底部と前記第１容器の底部との距離が前記第１状態よりも上方に離れた第２状態にでき、該第２状態において前記第２容器を保持できる保持部が設けられているので、第２容器に水切り対象物を入れて前記第２状態にすることで、水切り対象物の量が多い場合であっても、確実に水切りをすることができる。
【図面の簡単な説明】
【００１３】
【図１】本発明の一実施の形態に水切り具の使用状態の斜視図である。
【図２】図１の平面図である。
【図３】図２の矢視Ａ−Ａ線に沿う断面図である。
【図４】図２の矢視Ｂ−Ｂ線に沿う断面図である。
【図５】本発明の一実施の形態に係る受け容器の斜視図である。
【図６】本発明の一実施の形態に係る内容器の斜視図である。
【図７】本発明の一実施の形態に係る内容器を受け容器に挿入した状態を示す斜視図である。
【図８】図７の平面図である。
【図９】図８の矢視Ｃ−Ｃ線に沿う断面図である。
【図１０】図８の矢視Ｄ−Ｄ線に沿う断面図である。
【図１１】本発明の一実施の形態に係る水切り具の使用状態の説明図である。
【図１２】図１１の平面図である。
【図１３】図１１の矢視Ｅ−Ｅ線に沿う断面図である。
【図１４】本発明の一実施の形態に係る受け容器の六面図である。
【図１５】本発明の一実施の形態に係る内容器の六面図である。
【図１６】本発明の一実施の形態に係る内容器を内容器に挿入した状態の六面図である。
【発明を実施するための形態】
【００１４】
本実施の形態に係る水切り具を図１乃至図１３に基づいて説明する。
本実施の形態に係る水切り具1は、周壁部３Ａと底部５Ａを有する受け容器７Ａ（本発明の「第１容器」に相当する）と、水切り穴９と周壁部３Ｂと底部５Ｂを有し、かつ受け容器７Ａの内側に配置可能な内容器７Ｂ（本発明の「第２容器」に相当する）とを備え、受け容器７Ａと内容器７Ｂは、受け容器７Ａ内に内容器７Ｂを挿入した第１状態（図７参照）と、該第１状態に対して周方向に４５度ずらした状態で受け容器７Ａの上部に内容器７Ｂを保持する第２状態（図１参照）とにすることができるようになっている。
以下、受け容器７Ａ及び内容器７Ｂについてさらに詳細に説明する。
【００１５】
＜受け容器＞
受け容器７Ａは、図５に示すように、周壁部３Ａと底部５Ａを有し、全体形状が角丸の四角形の浅底の容器である。より正確には、受け容器７Ａは、角丸の四角形で、かつ対向する辺の長さが同一に設定されている。また、周壁部３Ａの上端から外方に張出すフランジ部１１Ａが形成され、周壁部３Ａは上部から下部に向って内方に傾斜しており、それ故に周壁部３Ａ全体では内方に向って縮径する形状になっている。
底面は、平面状になっており、底面の下面には略半円状の脚部１３Ａが設けられている。
フランジ部１１Ａにおける対向する一対の角部における一方の角部には、上方に突出する凸部１５Ａが形成され、他方の角部には凸部１５Ａが挿入可能な開口部１７Ａが形成されている。
また、周壁部３Ａの内側上端近傍における各辺のほぼ中央部には、外方に向って出っ張るように三日月状（平面視で）の平坦部１９Ａが形成され、平坦部１９Ａからほぼ垂直に立ち上がる湾曲壁部２１Ａが形成され、湾曲壁部２１Ａの上部がフランジ部１１Ａに連続している。平坦部１９Ａは本発明の保持部として機能する。周壁部３Ａの外側上端部における角部には外方に出っ張る膨出部２３Ａが形成されている（図４、図１０、図１１、図１２参照）。この膨出部２３Ａは、受け容器７Ａを内容器７Ｂの内側に挿入したときに、内容器７Ｂの周壁３Ｂの内面側に当接して位置決め部材として機能する。
【００１６】
＜内容器＞
内容器７Ｂは、図６に示すように、底部５Ｂに多数の水切り穴９を有する点以外は、受け容器７Ａと同形である。すなわち、内容器７Ｂは、図６に示すように、周壁部３Ｂと底部５Ｂを有し、全体形状が角丸の四角形の浅底の容器である。より正確には、内容器７Ｂは、角丸の四角形で、かつ対向する辺の長さが同一に設定されている。また、周壁部３Ｂの上端から外方に張出すフランジ部１１Ｂが形成され、周壁部３Ｂは上部から下部に向って内方に傾斜しており、それ故に周壁部３Ｂ全体では内方に向って縮径する形状になっている。底面は、平面状になっている。
底面は、平面状になっており、底面の下面には略半円状の脚部１３Ｂが設けられている。
フランジ部１１Ｂにおける対向する一対の角部における一方の角部には、上方に突出する凸部１５Ｂが形成され、他方の角部には凸部１５Ｂが挿入可能な開口部１７Ｂが形成されている。
【００１７】
凸部１５Ｂと開口部１７Ｂは、内容器７Ｂのフランジ部１１Ｂと受け容器７Ａのフランジ部１１Ａのフランジ面を当接させたときに、両者の位置決めをするためのものである。したがって、凸部１５Ｂと開口部１７Ｂは、一方が他方に嵌合するようなキッチリとしたものではなく、両者間には挿入したときに隙間ができるようになっている。これは、これらの容器を電子レンジなどに入れて加熱した場合に、容器が多少変形して凸部１５Ｂと開口部１７Ｂの位置が変わることがあったとしても、一方を他方に挿入できるようにするためである。
また、周壁部３Ｂの上端近傍における各辺のほぼ中央部には、外方に向って出っ張るように三日月状の平坦部１９Ｂが形成され、平坦部１９Ｂからほぼ垂直に立ち上がる湾曲壁部２１Ｂが形成され、湾曲壁部２１Ｂの上部がフランジ部１１Ｂに連続している。平坦部１９Ｂは本発明の保持部として機能する。
周壁部３Ｂの外側上端部における角部には外方に出っ張る膨出部２３Ｂが形成されている（図３、図１０、図１３参照）。この膨出部２３Ｂは、内容器７Ｂを受け容器７Ａの内側に挿入したときに、内容器７Ａの周壁部３Ａの内面側に当接して位置決め部材として機能する（図１０参照）。
【００１８】
次に、上記のように構成された水切り具1の使用方法を説明する。
（１）食材の水切りとしての使用方法
例えば、図７に示すように、受け容器７Ａに内容器７Ｂを挿入し、この状態でキャベツの千切りを入れて水洗いを行う。そして、洗い終わると、内容器７Ｂを図１に示す状態にして水切りをする。このとき、内容器７Ｂの底面の四隅が受け容器７Ａの平坦部１９Ａに載置され、かつ平坦部１９Ａから立ち上がる湾曲壁部２１Ａが内容器７Ｂの周壁部３Ｂに当接し、内容器７Ｂは安定して載置される。この状態では、内容器７Ｂは受け容器７Ａに対して周方向に４５°ずれた状態になっている。このとき、内容器７Ｂの底部５Ｂと受け容器７Ａの底部５Ａとの間は、図３、図４に示すように相当の距離があり、キャベツの量が多く、キャベツから滴る水の量が多くても、受け容器７Ａに溜まった水に内容器７Ｂの底が浸かることはない。つまり、本実施の形態の水切り具1は、内容器７Ｂに満杯となるような多量の食材であっても確実に水切りができる。
【００１９】
（２）食材の強制的水切りとしての使用方法
例えば、図７に示すように、受け容器７Ａに内容器７Ｂを挿入し、この状態でキャベツの千切りを入れて水洗いする。その後、受け容器７Ａの水を捨て、図１１に示すように、受け容器７Ａを逆さまにして内容器７Ｂに被せるようにする。このとき、図１３に示すように、内容器７Ｂの凸部１５Ｂが受け容器７Ａの開口部１７Ａに挿入され、内容器７Ｂの開口部１７Ｂに受け容器７Ａの凸部１５Ａが挿入される。これによって、両者の位置決めを容易に行なうことができる。また、内容器７Ｂと受け容器７Ａは同形であり、フランジ部１１Ａ、１１Ｂが密接するので、フランジ部１１Ａ、１１Ｂの当接部から水が漏れることもない。
【００２０】
図１１に示す状態で、受け容器７Ａと内容器７Ｂを上下から押し付けるようにして手で持ち、上下方向に、あるはい一辺を軸とした回動方向にシャカシャカ振ることで、強制的に水切りができる。このとき、内容器７Ｂには底部５Ｂのみに水切り穴９が形成されているので、底部５Ｂをシンクなどに向けることで、水切りした水の飛散方向を制御でき、水が側方に飛び散ることがない。つまり、従来のざる容器のように周壁部にも水切り穴９があるようなものを振ると、水が飛び散りシンク回りが水浸しになるが、本実施の形態の水切り具1であれば、シンク周りを水浸しにすることなく、強制的な水切りが可能となり、料理支度の迅速化に役立つ。
【００２１】
（３）食材を食卓へ出す器としての使用方法
例えば、図７に示すように、受け容器７Ａに内容器７Ｂを挿入し、この状態で氷水を入れ、さらにその中にゆでたソーメンを入れる。その状態で食卓に出し、食べる直前に図１に示すように内容器７Ｂを受け容器７Ａの上部に保持させる。こうすることにより、食べる直前まで氷水でソーメンを冷やすことができ、美味しく食べることができる。しかも、図１に示す状態にして、少し時間が経過したような場合は、再度、図７の状態にすれば、食卓でソーメンを冷やすこともできる。
なお、上記のような態様で使用する際に用いられる食材としては、ソーメンに限られるものではなく、例えばプチトマトのようなものや、フルーツのようなものであってもよい。
【００２２】
なお、上記のように食材を食卓に出す器としての機能を備えた点に関し、従来のボール容器とざる容器からなる水切り具に比較して、以下のような優れた効果がある。つまり、従来のボール容器とざる容器からなる水切り具は、あくまでも料理の下ごしらえのときに使用するものであり、食卓に置くようなものではない。そのため、水切りをした後は、他の盛り付け用の皿などの器に野菜等の食材を別途盛り付けなければならず、洗い物が増えることになるが、本実施の形態の水切り具1は器を兼用していることから、洗い物が少なくなるという効果も得られる。
【００２３】
（４）多段バットとしての使用方法
例えば、水切りのためだけでなく、図１に示すように、内容器７Ｂを受け容器７Ａの上部に載置することで、下ごしらえの食材を一時的に入れておくバットとして使用でき、しかも重ねて使用できるので、場所をとらずに便利である。そのうえ、図１に示すように、周方向に角度がずれているので、下側に入れている食材が見え、その点でも便利である。図１に示す状態では、内容器７Ｂは受け容器７Ａに対して周方向に４５°ずれた状態になっており、内容器７Ｂと受け容器７Ａとの間に隙間があり、下側に配置されている受け容器７Ａに入れられた食材を外側から確認することができる。
このような使用態様は、下ごしらえの食材だけでなく、例えば鍋料理などに用いる食材を食卓に出すような場合にも同様に行うことができる。
【００２４】
（５）蓋付バットとしての使用方法
内容器７Ｂに食材を載置し、図１１に示すように、受け容器７Ａを内容器７Ｂに被せるようにすることで、食材に埃などが付着するのを防止できる蓋付バットとして使用することができる。
【００２５】
（６）搬送時、販売時、保管時の使用方法
搬送時、販売時、保管時には、図７に示すように、受け容器７Ａに内容器７Ｂを挿入した状態にする。このとき、両者は同形なので、図９、図１０に示すように、コンパクトに重ねることができる。しかも、受け容器７Ａと内容器７Ｂが同形であるから、図７に示す内容器７Ｂの内側に受け容器７Ａを挿入しても同様な状態で載置することができ、多数の商品を保管するような場合には、多数段に亘って積み重ねることができ、全体がコンパクトになり極めて便利である。
【００２６】
以上のように、本実施の形態の水切り具1は、従来にない発想に基づくものであり、種々の使用方法とそれに基づく効果が得られており、極めて便利なものである。
【００２７】
なお、上記の実施の形態では、受け容器７Ａ、内容器７Ｂの形状として、角丸の正方形のものを示したが、本発明はこれに限られるものではなく、例えば、楕円形、円形、多角形、三角形などであってもよい。もっとも、円形の場合には、一方を他方の上部に載置したときに、下側の容器に入れたものが見え難いという不便があるので、その場合には、内容器７Ｂの周壁部３Ｂの全部または一部に水切り穴９を設けるようにしてもよい。
また、上記の実施の形態では、受け容器７Ａの上部に内容器７Ｂを周方向４５°ずらした状態で載置する場合を示したが、本発明はこれに限られるものではなく、３０°〜６０°の範囲の角度ずらすような態様であってもよい。もっとも、本実施の形態においては、受け容器７Ａ、内容器７Ｂが角丸の正方形であることから、前記ずらす角度としては４５°が最も好ましい。
また、上記の実施の形態では、受け容器７Ａの周壁部３Ａの内側上端近傍に保持部として機能する平坦部１９Ａを形成した例を示したが、受け容器７Ａの周壁部３Ａの内側上端近傍には平坦部を形成せず、内容器７Ｂの周壁部３Ｂの四隅下端部に内方に凹む凹み部を設け、該凹み部に平坦部を形成し、該平坦部が受け容器７Ａの周壁部３Ａの内側上端部に保持されるようにしてもよい。同様に、受け容器７Ａの周壁部３Ａの四隅下端部にも内方に凹む凹み部を設け、該凹み部に平坦部を形成し、該平坦部が内容器７Ｂの周壁部３Ｂの内側上端部に保持されるようにしてもよい。
また、上記の実施の形態では、内容器７Ｂの底面のみに水切り穴９を設けた例を示したが、これによって、上述したように強制的な水切りの際には水の飛び散りが防止できるという効果がある。
しかし、本発明は、内容器７Ｂの周壁部３Ｂに水切り穴を設けることを否定するものではなく、内容器７Ｂの周壁部Ｂに水切り穴を設けても、強制的な水切りの際の水の飛び散りを防止できるという効果以外の上記の種々の効果が得られる。
【００２８】
なお、本実施の形態の水切り具1は、図１４〜図１６の六面図に示すように、各単品及び組み合わせ品としても、意匠的な特徴を有するものである。
【符号の説明】
【００２９】
１  水切り具
３Ａ、３Ｂ  周壁部
５Ａ、５Ｂ  底部
７Ａ  受け容器
７Ｂ  内容器
９  水切り穴
１１Ａ、１１Ｂ  フランジ部
１３Ａ、１３Ｂ  脚部
１５Ａ、１５Ｂ  凸部
１７Ａ、１７Ｂ  開口部
１９Ａ、１９Ｂ  平坦部
２１Ａ、２１Ｂ  湾曲壁部
２３Ａ、２３Ｂ  膨出部
【図１】
2011078699.tif 000003
【図２】
2011078699.tif 000004
【図３】
2011078699.tif 000005
【図４】
2011078699.tif 000006
【図５】
2011078699.tif 000007
【図６】
2011078699.tif 000008
【図７】
2011078699.tif 000009
【図８】
2011078699.tif 000010
【図９】
2011078699.tif 000011
【図１０】
2011078699.tif 000012
【図１１】
2011078699.tif 000013
【図１２】
2011078699.tif 000014
【図１３】
2011078699.tif 000015
【図１４】
2011078699.tif 000016
【図１５】
2011078699.tif 000017
【図１６】
2011078699.tif 000018